(57)【要約】【課題】有底穴に貯留された液体を排出する。【解決手段】ワークであるブロック体に形成された有底穴４０は、直径がＤhoである等径部４４を有する。有底穴４０に挿入するブローノズル１４としては、その内径をＤin、外径をＤoutとするとき、下記の式（１）で表される面積比Ｓraが３〜１０の範囲内となるものを選定する。ブローノズル１４を、その挿入長さＬが等径部４４の深さＨの１／４以上となるように有底穴４０に挿入するとともに、ブローノズル１４から０．０５ＭＰａ以上の吐出圧で圧縮気体を吐出する。      Ｓra＝｛（π／４）Ｄho2−（π／４）Ｄout2｝／（π／４）Ｄin2  …（１）【選択図】図２
2018187549.tif 000002
【特許請求の範囲】
【請求項１】
ワークに形成されて直径が一定である等径部を有する有底穴から、圧縮気体によるブローで液体を排出する液体排出方法であって、
前記有底穴の等径部の直径をＤhoとするとき、下記の式（１）で表される面積比Ｓraが３〜１０の範囲内となる内径Ｄin及び外径Ｄoutを有するブローノズルを前記有底穴に挿入する挿入工程と、
前記ブローノズルから前記圧縮気体を前記有底穴内に吐出することで、前記有底穴内に進入した液体を前記有底穴外に排出する排出工程と、
を有し、
前記挿入工程で、前記ブローノズルの前記有底穴への挿入長さを、前記等径部の深さの１／４以上に設定し、
且つ前記排出工程で、前記ブローノズルからの前記圧縮気体の吐出圧を０．０５ＭＰａ以上に設定することを特徴とする液体排出方法。
Ｓra＝｛（π／４）Ｄho2−（π／４）Ｄout2｝／（π／４）Ｄin2  …（１）
【請求項２】
請求項１記載の液体排出方法において、前記排出工程で、前記ブローノズルからの前記圧縮気体の吐出圧を０．５ＭＰａ以下に設定することを特徴とする液体排出方法。
【請求項３】
請求項１又は２記載の液体排出方法において、前記圧縮気体を１〜２０秒間吐出することを特徴とする液体排出方法。
【請求項４】
請求項１〜３のいずれか１項に記載の液体排出方法において、前記ブローノズルとして、内径Ｄin及び外径Ｄoutが一定である直管を用いることを特徴とする液体排出方法。
【請求項５】
請求項１〜４のいずれか１項に記載の液体排出方法において、前記挿入工程で、前記ブローノズルの前記有底穴への挿入長さを、前記等径部の深さの１／２以上に設定することを特徴とする液体排出方法。
【発明の詳細な説明】
【技術分野】
【０００１】
本発明は、有底穴に貯留された液体を前記有底穴から排出する液体排出方法に関する。
【背景技術】
【０００２】
所定の部材に対し、別の部材をネジやボルト等の締結部材を介して連結する、いわゆる機械的接合が広汎に行われている。この連結のため、所定の部材には、締結部材が進入する有底のネジ穴ないしボルト穴（以下、「連結用穴」とも表記する）が形成される。
【０００３】
多くの部材は、連結用穴の形成等の加工が終了した後、機械的接合がなされる前に切粉除去のために洗浄される。このため、連結用穴に洗浄液が貯留される。この洗浄液が連結用穴に残留した状態で機械的接合を行うと、連結用穴の内壁や締結部材に錆が発生する懸念がある。これを回避するべく、連結用穴から洗浄液を排出する、いわゆる水切り処理が行われる。特許文献１には、この水切り処理や異物除去を行うためのエアブロー装置が提案されている。
【先行技術文献】
【特許文献】
【０００４】
【特許文献１】特許第５１２３７４４号公報
【発明の概要】
【発明が解決しようとする課題】
【０００５】
特許文献１の図３〜図５に示されるように、この技術では、底部が鉛直上方を臨む連結用穴に対してブローノズルを下方から挿入し、圧縮エアを鉛直上方に指向して吐出する。従って、鉛直上方を臨む上面に形成された連結用穴から異物を除去するためには、ワークの姿勢を、上面が鉛直下方を臨むように変更する必要がある。
【０００６】
ところで、特許文献１では、連結用穴が形成されたワークとしてシリンダブロックが例示されている。このような重量物の姿勢を手作業で変更することは、困難であるとともに煩雑である。そこで、姿勢変更機構を設けることが想起されるが、この場合、洗浄装置の構成が複雑となるとともに設備投資が高騰するという不具合が惹起される。
【０００７】
本発明は上記した問題を解決するためになされたもので、ワークの姿勢変更を不要とし、且つ簡素な構成で有底穴から液体を排出することが可能な液体排出方法を提供することを目的とする。
【課題を解決するための手段】
【０００８】
前記の目的を達成するために、本発明は、ワークに形成されて直径が一定である等径部を有する有底穴から、圧縮気体によるブローで液体を排出する液体排出方法であって、
前記有底穴の等径部の直径をＤhoとするとき、下記の式（１）で表される面積比Ｓraが３〜１０の範囲内となる内径Ｄin及び外径Ｄoutを有するブローノズルを前記有底穴に挿入する挿入工程と、
前記ブローノズルから前記圧縮気体を前記有底穴内に吐出することで、前記有底穴内に進入した液体を前記有底穴外に排出する排出工程と、
を有し、
前記挿入工程で、前記ブローノズルの前記有底穴への挿入長さを、前記等径部の深さの１／４以上に設定し、
且つ前記排出工程で、前記ブローノズルからの前記圧縮気体の吐出圧を０．０５ＭＰａ以上に設定することを特徴とする。
Ｓra＝｛（π／４）Ｄho2−（π／４）Ｄout2｝／（π／４）Ｄin2  …（１）
【０００９】
式（１）中の分母はブローノズルの吐出口の開口面積であり、分子は、有底穴の内壁とブローノズルの外壁との間に形成される間隙の水平方向断面積である。液体は前記間隙を通過して排出されるので、間隙の水平方向断面積は、液体排出路の水平方向断面積と換言することができる。すなわち、本発明では、圧縮気体を吐出する吐出口の開口面積と、液体排出路の水平方向断面積との比を３〜１０の範囲内とし、且つブローノズルの有底穴への挿入長さと圧縮気体の吐出圧を適宜設定するようにしている。このように吐出条件を規定することにより、有底穴が上方に臨んで開口している場合であっても、該有底穴から液体が容易に排出される。
【００１０】
すなわち、この場合、ワークの姿勢変更を行うことなく、上方に臨んで開口した有底穴から液体を排出することができる。従って、姿勢変更機構が不要となるので、簡素な構成で有底穴から液体を排出することが可能となる。また、設備投資が高騰することを回避することもできる。
【００１１】
なお、式（１）中のπ／４が約分できることは勿論である。すなわち、式（１）を以下のように変形することもできる。
Ｓra＝（Ｄho2−Ｄout2）／Ｄin2
【００１２】
排出工程におけるブローノズルからの圧縮気体の吐出圧は大きい程よいが、吐出圧が過度に大きな圧縮気体を得ることは容易ではなく、また、供給ライン等を耐圧構造にする必要があるために設備投資が高騰する。従って、吐出圧は０．５ＭＰａ以下に設定することが好ましい。
【００１３】
また、吐出圧が０．０５ＭＰａ以上であるため、圧縮気体の吐出時間は１〜２０秒間とすれば十分である。
【００１４】
ブローノズルとしては、内径及び外径が一定である直管、換言すれば、円筒形状体を用いることが好ましい。このような簡素な形状のブローノズルは作製が容易である。このため、コストの低廉化を図ることができる。
【００１５】
挿入工程では、ブローノズルの有底穴への挿入長さを、等径部の深さの１／２以上とすることが好ましい。この場合、吐出圧を比較的低圧に設定したり、吐出時間を比較的短く設定したりすることが可能である。
【発明の効果】
【００１６】
本発明によれば、圧縮気体を吐出する吐出口の開口面積と、有底穴中の液体排出路となる部分の水平方向断面積との比を３〜１０の範囲内に設定するとともに、ブローノズルの有底穴への挿入長さや圧縮気体の吐出圧等、圧縮気体を吐出する際の吐出条件を適宜設定するようにしている。その結果として、上方に臨んで開口した有底穴であっても、該有底穴中の液体を容易に排出することができる。
【００１７】
従って、有底穴が形成されたワークの姿勢を変更して該有底穴の開口を下方に向けるための姿勢変更機構等が不要である。このため、簡素な構成でありながら、有底穴から液体を排出することが可能となる。
【図面の簡単な説明】
【００１８】
【図１】本実施の形態に係る液体排出方法を実施するためのブロー装置のシステム構成図である。
【図２】図１のブローノズルを有底穴に挿入した状態を示す要部拡大斜視図である。
【図３】図１のブローノズルを有底穴に挿入した状態を示す要部拡大縦断面図である。
【図４】面積比Ｓraと、（ブローノズルの挿入長さ／等径部の深さ）とを変更したときに水が排出されたか否かを示すグラフである。
【図５】面積比Ｓraと、圧縮エアの吐出圧とを変更したときに水が排出されたか否かを示すグラフである。
【発明を実施するための形態】
【００１９】
以下、本発明に係る液体排出方法につき好適な実施の形態を挙げ、添付の図面を参照して詳細に説明する。
【００２０】
先ず、本実施の形態に係る液体排出方法を実施するためのブロー装置につき、図１を参照して概略説明する。このブロー装置１０は、圧縮エア（圧縮空気）供給源であるコンプレッサ１２と、圧縮エアを吐出するブローノズル１４と、コンプレッサ１２からブローノズル１４に供給される圧縮エアが流通する供給ライン１６とを有する。コンプレッサ１２は、例えば、いわゆる工場エアを供給する。
【００２１】
供給ライン１６には、上流側から、フィルタ１８、減圧弁２０、流量計２２、開閉弁２４が設けられる。開閉弁２４は、一旦開放されると、タイマ２６に予め設定された時間が経過するまで開状態を維持する。換言すれば、開閉弁２４はタイマ２６の作用下に閉止する。
【００２２】
ブローノズル１４は、この場合、支持体２８の下端面に図示しない管継手を介して支持されている。支持体２８内の供給ライン１６には圧力計３０が設けられており、この圧力計３０によって、ブローノズル１４から吐出される圧縮エアの吐出圧が表示される。
【００２３】
図２及び図３に示すように、本実施の形態において、ブローノズル１４は、内径Ｄin及び外径Ｄoutが一定である直管（円筒形状体）からなる。このような形状をなすブローノズル１４の素材としては銅が例示されるが、特にこれに限定されるものではない。
【００２４】
前記支持体２８は、図示しない３機のアクチュエータによって前後方向、左右方向及び上下方向に変位することが可能である。この際、支持体２８は、図示しない案内レールに案内される。
【００２５】
図１には、ワークであるブロック体３２が併せて示されている。ブロック体３２の上面には、図１〜図３に示すように、穿孔加工によって有底穴４０が形成されている。該有底穴４０は、テーパー状に縮径するテーパー部４２と、直径が一定である等径部４４とを有し、等径部４４の内壁に図示しないネジ部が形成されたネジ穴であり、鉛直下方（下面）に向かって延在する。なお、図２及び図３中のＨは有底穴４０の等径部４４の深さ、すなわち、開口からテーパー部４２と等径部４４との境界までの距離を表し、Ｌはブローノズル１４の挿入長さを表す。また、図２及び図３中のＤhoは、等径部４４の直径（換言すれば、開口径）である。
【００２６】
ここで、挿入長さＬは、有底穴４０の開口からブローノズル１４の先端までの距離として定義される。従って、例えば、「挿入長さＬが有底穴４０の深さＨの１／４である」とは、ブローノズル１４の先端（吐出口）が、等径部４４の深さＨの１／４となる位置であることを意味する。このことから諒解されるように、（挿入長さＬ／等径部４４の深さＨ）の算出値が１に近づく程、ブローノズル１４の先端が、有底穴４０の、テーパー部４２と等径部４４との境界に近接する。
【００２７】
次に、本実施の形態に係る液体排出方法につき説明する。この液体排出方法は、有底穴４０に予め貯留された液体Ｗを、ブローノズル１４から吐出した圧縮エアによって有底穴４０から排出するものである。
【００２８】
ここで、ブローノズル１４としては、有底穴４０の水平方向断面積に対して所定の面積比を有するものを選定する。具体的には、下記の式（１）で表される面積比Ｓraが３〜１０の範囲となる内径Ｄin及び外径Ｄoutを有するものである。
Ｓra＝｛（π／４）Ｄho2−（π／４）Ｄout2｝／（π／４）Ｄin2
＝（Ｄho2−Ｄout2）／Ｄin2  …（１）
【００２９】
分母である（π／４）Ｄin2から、吐出口の開口面積ＳＡ１が算出される。一方、分子である｛（π／４）Ｄho2−（π／４）Ｄout2｝から、有底穴４０の内壁とブローノズル１４の外壁との間に形成される間隙、すなわち、図２中にハッチングで示した部分の水平方向断面積ＳＡ２が求められる。この間隙が、液体排出路となる。要するに、式（１）中の分子は液体排出路の水平方向断面積を表し、面積比Ｓraは、吐出口の開口面積ＳＡ１に対する液体排出路の水平方向断面積ＳＡ２の比を表す。
【００３０】
面積比Ｓraが３よりも小さいと、液体排出路の面積が小さくなるので液体Ｗを有底穴４０から排出することが容易でなくなる。また、１０よりも大きいと、圧縮エアの供給面積が小さくなるのでブロー圧が十分でなくなるため、この場合も液体Ｗを有底穴４０から排出することが容易でなくなる。一層好適な面積比Ｓraは、５〜９である。
【００３１】
次に、挿入工程を行う。すなわち、前記アクチュエータを動作させることで支持体２８を変位させ、ブローノズル１４の位置と有底穴４０の位置を合わせるとともにブローノズル１４を下降する。これにより、上記のようにして選定したブローノズル１４の先端を、図２及び図３に示すように有底穴４０に挿入する。この際、ブローノズル１４の挿入長さＬが過度に小さいと、該ブローノズル１４から吐出された圧縮エアが有底穴４０の底部に到達することが困難となることから、有底穴４０の底部近傍の液体Ｗが排出されずに残留する一因となる。これを回避するべく、挿入長さＬを、等径部４４の深さＨの１／４以上とする。
【００３２】
挿入長さＬを、等径部４４の深さＨの１／２以上とすることが一層好ましい。この場合、ブローノズル１４の先端（吐出口）が有底穴４０の底部に一層近接するので、有底穴４０の底部近傍の液体Ｗを容易に排出し得るようになる。
【００３３】
次に、排出工程を行う。すなわち、開閉弁２４を開状態とするとともにタイマ２６を作動させる。これにより、コンプレッサ１２から供給された圧縮エアが供給ライン１６を流通し始める。必要に応じ、この流通過程で、圧縮エアの圧力が減圧弁２０によって調節される。圧縮エアは、このようにして調節された圧力を吐出圧として、ブローノズル１４から吐出される。圧縮エアの流量は流量計２２によって制御され、且つ吐出圧は圧力計３０によって表示される。
【００３４】
このようにしてブローノズル１４から圧縮エアが吐出されると、有底穴４０内に貯留された液体Ｗが圧縮エアによって押し出される。すなわち、有底穴４０から液体Ｗが排出される。
【００３５】
圧縮エアの吐出圧が過度に小さいと、液体Ｗへの押圧力が小さいために液体Ｗを有底穴４０から排出することが困難となる。従って、圧縮エアの吐出圧は０．０５ＭＰａ以上に設定することが好ましい。なお、一般的な工場エアの最大供給圧力は、０．５ＭＰａ程度である。圧縮エアの吐出圧は、この範囲内で十分である。すなわち、圧縮エアの吐出圧は０．０５〜０．５ＭＰａに設定することができる。
【００３６】
ブローノズル１４からの圧縮エアの吐出が開始されてから所定の時間が経過した後、タイマ２６が作動して開閉弁２４を閉止する。これにより、圧縮エアの吐出が終了する。以下、吐出の開始から終了までの時間を「吐出時間」という。吐出圧が０．０５〜０．５ＭＰａであれば、吐出時間は１〜２０秒の範囲内で十分である。
【００３７】
ここで、有底穴４０に水を予め貯留し、面積比Ｓra及び挿入長さＬを様々に変更したときに有底穴４０から水が排出されたか否かをグラフとして図４に示す。なお、圧縮エアの吐出圧は０．０５〜０．５ＭＰａ、吐出時間は１〜２０秒に設定し、ブロー後にブロック体３２の上下を逆にして液滴が落下したときを「水が残留した」と判断するとともに、落下しなかったときを「水が排出された」と判断した。図４には、水が残留した場合を▲、排出された場合を○で示している。また、横軸は、（挿入長さＬ／等径部４４の深さＨ）の値を表す。
【００３８】
また、図５は、面積比Ｓra及び吐出圧を様々に変更したときに有底穴４０から水が排出されたか否かを示すグラフである。吐出時間の設定、及び水が排出されたか否かの判断基準は上記と同様である。また、図５中の「▲」及び「○」についても上記と同様に、水が残留した場合、排出された場合をそれぞれ示している。
【００３９】
図４及び図５を参照し、上記式（１）で求められる面積比Ｓraが３〜１０、挿入長さＬが等径部４４の深さＨの１／４以上であるとき、吐出圧力を０．０５〜０．５ＭＰａ、吐出時間を１〜２０秒に設定することで有底穴４０から水が排出されることが明らかである。
【００４０】
従って、このブロック体３２に対し、有底穴４０（ネジ穴）にネジを螺合することで他の部材を連結する（機械的接合を行う）際、有底穴４０に水が残留していることに起因してネジや有底穴４０の内壁に錆が発生することが回避される。すなわち、ブロック体３２と他の部材を十分な強度で連結することができる。また、水（液体）が残留しないので衛生的である。
【００４１】
さらに、本実施の形態では、外径Ｄout及び内径Ｄinが一定である直管（円筒形状体）をブローノズル１４として用いることができる。このような簡素な形状のブローノズル１４は作製が容易であり、また、このことからコストの低廉化を図ることもできる。
【００４２】
しかも、本実施の形態によれば、上面に形成された有底穴４０に対し、吐出口が下方を臨む姿勢となったブローノズル１４を挿入しても、吐出条件を上記のように設定することで有底穴４０から液体Ｗを排出することができる。このため、ワークの姿勢を、有底穴４０の開口が下方を臨むように変更する必要がない。従って、姿勢変更機構が不要である。このため、ブロー装置１０の構成が簡素となるとともに、設備投資が高騰することを回避することができる。
【００４３】
本発明は、上記した実施の形態に特に限定されるものではなく、本発明の主旨を逸脱しない範囲で種々の変更が可能である。
【００４４】
例えば、有底穴４０はネジ穴に限定されるものではなく、ネジ部が形成されていない単純穴であってもよい。また、有底穴４０は、等径部４４のみを有するものであってもよい。
【００４５】
また、圧縮エアに代替して圧縮窒素等を用いることも可能である。この場合においても、上記した吐出条件に設定することにより、有底穴４０から液体Ｗを排出することができる。
【符号の説明】
【００４６】
１０…ブロー装置                        １２…コンプレッサ
１４…ブローノズル                      １６…供給ライン
２０…減圧弁                            ２４…開閉弁
２６…タイマ                            ３０…圧力計
３２…ブロック体                        ４０…有底穴
４２…テーパー部                        ４４…等径部
Ｗ…液体
【図１】
2018187549.tif 000003
【図２】
2018187549.tif 000004
【図３】
2018187549.tif 000005
【図４】
2018187549.tif 000006
【図５】
2018187549.tif 000007